(57)【要約】      （修正有）【課題】気密用ビニルシートで覆った被裁断シート材を裁断支持面上に吸引固定し、カッター刃を所定の形状に移動させて気密用ビニルシートと一緒に被裁断シート材を裁断する際に、気密用ビニルシート裁断切目からの外気流入による吸引力低下を防止するとともに、省エネルギー化を図る。【解決手段】カッター機構に気密用ビニルシート切目の閉塞手段を設け、切目の隙間を裁断中に順次塞いでいく。気密用ビニルシート上面に接するシート材押え１０の、カッター刃６の平面移動方向の後方位置に接着ローラ２０を配置し、接着ローラ２０を介して気密用ビニルシートの切目に糊２３を接着させていく。【選択図】図１
2009184061.tif 000002
【特許請求の範囲】
【請求項１】
エンドレス走行体で支持して吸引ボックス上を移動するよう並べて配置した空気透過性の剛毛体ブロックで吸引ボックス上に裁断支持面を形成し、前記裁断支持面上に載置したシート材の上面を押圧するシート材押えと、シート材の前記シート材押えで押圧された部分を切断するカッター刃を有するカッター機構を配置し、シート材を吸引力で前記剛毛体ブロック上に固定した状態で前記カッター刃を所定の形状に移動させてシート材を裁断するようにしたシート材裁断装置において、前記カッター機構に前記裁断支持面上に載置したシート材の上に重ねて載置した気密用ビニルシートの前記カッター刃による切目を裁断中に順次ふさいでいく切目閉塞手段を備えたことを特徴とするシート材裁断装置。
【請求項２】
前記切目閉塞手段は、前記シート材押えの気密用ビニルシートの上面に接する領域に前記カッター刃の平面的な移動方向の後方位置に接着ローラを配置し、前記接着ローラを介して気密用ビニルシートの前記カッター刃の切目に糊を接着させて切目の隙間を裁断中に順次ふさぐことを特徴とする請求項１に記載のシート材裁断装置。
【請求項３】
前記切目閉塞手段は、前記シート材押えの気密用ビニルシートの上面に接する領域に前記カッター刃の平面的な移動方向の後方位置に接着ローラを配置し、前記接着ローラを介して気密用ビニルシートの前記カッター刃の切目に接着テープを接着させて切目の隙間を裁断中に順次ふさぐことを特徴とする請求項１に記載のシート材裁断装置。
【発明の詳細な説明】
【技術分野】
【０００１】
本発明は、柔軟なシート材の裁断装置、更に詳しくは、空気透過性の剛毛体上に吸引固定したシート材をカッター刃の移動によって所望の形状に裁断する装置において、剛毛体ブロック上でのシート材の吸引力の低下を防止すると共に、省エネルギー化を図ることができる裁断装置に関するものである。
【背景技術】
【０００２】
織物生地や合成樹脂シート等の柔軟なシート材を多数枚重ね合わせた状態で同時に裁断するため、空気透過性の剛毛性ブロックを用いてシート材を吸引固定する従来のシート裁断装置（従来例１）が知られている（特公平１−１７８３９号公報、特許文献１）。
【０００３】
上記シート材裁断装置（従来例１）は、図６及び図７に示すように、両側のスプロケット１、２にチェン等のエンドレス走行体３を巻架し、この走行体３の外周に多数の剛毛体ブロック４を上下直線走行部分で密接するように並べて取付け、上記エンドレス走行体３の全体を上面が開放した吸引ボックス５内に収納し、上部走行部分の剛毛体ブロック４群で吸引ボックス５の上面開口部分に裁断支持面を形成し、この裁断支持面の上部に任意の方向に移動自在となるカッター刃６を配置し、前記吸引ボックス５の底部中央に吸引源７を接続している。
上記シート材裁断装置（従来例１）は、裁断支持面上にシート材Ａと更にその上に気密用のビニルシートＢを重ねて載置し、これを吸引ボックス５内から剛毛体ブロック４の表面に作用させた吸引力で剛毛体ブロック４上に吸着固定し、この状態でカッター刃６を予め設定された条件で移動させ、シート材Ａを所定の形状に裁断するようになっている。
ところで、上記シート材裁断装置（従来例１）は、裁断支持面上に載置したシート材Ａに対して、これを裁断するカッター刃６が平面的に移動するため、シート材Ａには常に平面方向の力が加わることになり、従って裁断時にシート材Ａが移動しないよう吸引ボックス５の吸引力を剛毛体ブロック４をシート材Ａに有効かつ均等に作用させ、シート材Ａを確実に固定するようにしなければならない。
このため、シート材裁断装置（従来例１）においては、吸引ボックス５の上部両端に設けたシート材出し入れ用ガイド板８、８上にビニルシートＢを重ねることにより、裁断支持面の両端部の気密性を確保すると共に、吸引ボックス５の上部両側と裁断支持面間は、剛毛体ブロック４に摺接するシール材９を吸引ボックス５に固定して気密性を保つことにより、吸引ボックス５の吸引力をシート材Ａに対して作用させるようにしている。
【０００４】
しかし、上記シート材裁断装置（従来例１）は、吸引ボックス５の下面中央の１箇所から吸引する構造になっているため、裁断支持面に対して中央部に集中し、シート材の吸引力に斑が発生するという問題がある。
また、裁断支持面の両側においては、剛毛体ブロック４の移動によるシール材９の摩耗や、個々に分割されている剛毛体ブロック４間の隙間や段差により気密性が悪くなり、この部分から外気が流入することにより、シート材Ａの吸引力が低下し、シート材Ａの固定力が弱くなるという問題がある。
そこで、裁断支持面の全面に均一な吸引力を生じさせることができると共に、吸引ボックスの両側と剛毛体ブロック間の気密性をアップさせ、シート材の吸引力を向上させることができるシート材裁断装置（従来例２）が提案されている（特開平８−２５７９８５号公報、特許文献２）。
【０００５】
上記シート材裁断装置（従来例２）は、吸引ボックスを上下二段に形成し、上位ボックスをエンドレス走行体の全長及び全幅を内部に収納する上面開口状に形成し、下位ボックスは内部を複数の通路に仕切り、各通路を上位ボックス内と連通させたダクト状に形成し、下位ボックスの通路は外部に設置した吸引源と接続し、前記上位ボックスの周囲上端部をエンドレス走行体の上部走行部分の剛毛体ブロックを囲むように密閉用シートの載置面に形成した構成を採用したものである。
上記シート材裁断装置（従来例２）によると、吸引ボックス上に停止する剛毛体ブロック群で形成した裁断支持面上にシート材を載置し、その上に覆せた密閉用シートの周囲を吸引ボックスの周囲上端部に形成した載置面上に重ね、この状態で吸引源を起動すると、下位ボックスの通路から上位ボックス内が吸引され、剛毛体ブロックを介してシート材が均一に吸引される。また、密閉用シートの周囲が吸引ボックスの上端部周囲に形成した密閉用の載置面に重なっているので、吸引力の作用で密閉用シートは載置面に密着し、吸引ボックスと裁断支持面間の周囲隙間が密閉されるため、隙間から吸引ボックス内への外気の流入を遮断し、吸引ボックスの吸引力の低下を防ぐため、裁断支持面のシート材吸引力を向上させることができる。
【０００６】
【特許文献１】特公平１−１７８３９号公報
【特許文献２】特開平８−２５７９８５号公報
【発明の開示】
【発明が解決しようとする課題】
【０００７】
しかし、上記シート材裁断装置（従来例１及び従来例２）は、シート材の裁断中にシート材の上に覆い被せた気密用ビニルシートの裁断切目の部分から外気が流入することにより、シート材の吸引力が低下し、シート材の固定力が弱くなるという問題がある。
そこで、本発明は、シート材裁断中に気密用ビニルシートの裁断切目を順次ふさいでいくことにより、剛毛体ブロック上でのシート材の吸引力の低下を防止すると共に、省エネルギー化を図ることができるシート材裁断装置を提供することを目的とする。
【課題を解決するための手段】
【０００８】
上記課題を解決するために、請求項１に記載の発明は、エンドレス走行体で支持して吸引ボックス上を移動するよう並べて配置した空気透過性の剛毛体ブロックで吸引ボックス上に裁断支持面を形成し、前記裁断支持面上に載置したシート材の上面を押圧するシート材押えと、シート材の前記シート材押えで押圧された部分を切断するカッター刃を有するカッター機構を配置し、シート材を吸引力で前記剛毛体ブロック上に固定した状態で前記カッター刃を所定の形状に移動させてシート材を裁断するようにしたシート材裁断装置において、前記カッター機構に前記裁断支持面上に載置したシート材の上に重ねて載置した気密用ビニルシートの前記カッター刃による切目を裁断中に順次ふさいでいく切目閉塞手段を備えたことを特徴とする。
【０００９】
また、請求項２に記載の発明は、請求項１に記載の切目閉塞手段が、前記シート材押えの気密用ビニルシートの上面に接する領域に前記カッター刃の平面的な移動方向の後方位置に接着ローラを配置し、前記接着ローラを介して気密用ビニルシートの前記カッター刃の切目に糊を接着させて切目の隙間を裁断中に順次ふさぐことを特徴とする。
【００１０】
また、請求項３に記載の発明は、請求項１に記載の切目閉塞手段が、前記シート材押えの気密用ビニルシートの上面に接する領域に前記カッター刃の平面的な移動方向の後方位置に接着ローラを配置し、前記接着ローラを介して気密用ビニルシートの前記カッター刃の切目に接着テープを接着させて切目の隙間を裁断中に順次ふさぐことを特徴とする。
【発明の効果】
【００１１】
以上のように、本発明によれば、シート材裁断装置のカッター機構に気密用ビニルシートのカッター刃による切目を裁断中に順次ふさいでいく切目閉塞手段を備えるようにしたので、カッター刃の切目の隙間から吸引ボックス内への外気の流入を遮断し、吸引ボックスの吸引力の低下を防止することができるため、裁断支持面のシート材吸引力を向上させることができる。また、シート材を固定するのに大きな吸引力を必要としないため、消費電力も少なく省エネルギー化を図ることができる。
【発明を実施するための最良の形態】
【００１２】
以下、本発明の実施の一形態について、図面を参酌しながら説明する。
本発明は、従来のシート材裁断装置（エンドレス走行体で支持して吸引ボックス上を移動するよう並べて配置した空気透過性の剛毛体ブロックで吸引ボックス上に裁断支持面を形成し、前記裁断支持面上に載置したシート材の上面を押圧するシート材押えと、シート材の前記シート材押えで押圧された部分を切断するカッター刃を有するカッター機構を配置し、シート材を吸引力で前記剛毛体ブロック上に固定した状態で前記カッター刃を所定の形状に移動させてシート材を裁断するようにしたシート材裁断装置）におけるカッター機構の改良に関するものである。なお、従来のシート材裁断装置の全体構造については、上述した従来例１及び従来例２に示すものを採用することができるがこれらに限定されるものではなく、シート材上に気密用ビニルシートを覆い被せて気密性を高めつつカッターを移動させシート材を裁断する裁断装置に適用することが可能である。
【００１３】
（第１実施例）
図１は、本発明に係る切目閉塞手段（第１実施例）の斜視図、図２は側面図、図３は平面図である。
本発明に係る切目閉塞手段は、シート材裁断装置のカッター機構に備えられている。
上記カッター機構は、図６に示すように、カッターヘッドの下部に突出するカッター６をカッターヘッド内の駆動機構によって高速で上下動させると共に、カッターヘッドの下部に、裁断物支持面へ載置したシート材Ａ及びシート材Ａの上に覆い被せた気密用ビニルシートＢを上から押圧し、気密用ビニルシートＢの上面を部分的な非通気面にするシート材押え１０を設けて形成されている。
ここで、シート材押え１０は、直径が１００ｍｍ程度の平坦な碗形に形成され、裁断物支持面へ載置したシート材Ａ及びシート材Ａの上に覆い被せた気密用ビニルシートＢを押圧した状態でカッターヘッド６と一体に移動すると共に、その中央部分をカッター６が上下に移動可能となるよう貫通している（図１に記載のカッター刃用孔１１参照）。
【００１４】
第１実施例に示す切目閉塞手段は、図１乃至図３に示すように、シート材押え１０のカッター刃用孔１１の近傍であってカッター刃６の平面的な移動方向とは反対側に接着ローラ用孔１２が形成されており、この接着ローラ用孔１２から気密用ビニルシートＢの上面に臨ませるように接着ローラ２０が配置される。ここで、気密用ビニルシートＢのカッター刃６の切目Ｂ１を接着する手段として糊付き剥離紙ロール２１を採用し、糊付き剥離紙ロール２１とは逆方向に回転する剥離紙巻き取りロール２２を配置して剥離紙を順次巻き取るようにすることにより、カッター刃６が平面的に移動する際に接着ローラ２０を介して気密用ビニルシートＢのカッター刃６の切目Ｂ１に糊２３を接着させて切目Ｂ１の隙間を裁断中に順次ふさぐことが可能となる。これにより、カッター刃６の切目Ｂ１の隙間から吸引ボックス内への外気の流入を遮断し、吸引ボックスの吸引力の低下を防止することができるため、裁断支持面のシート材Ａの吸引力を向上させることができる。なお、糊付き剥離紙ロール２１及び剥離紙巻き取りロール２２を配置する箇所は、シート材押え１０の近傍に限定されるものではなく、外部から供給することもできる。
【００１５】
（第２実施例）
図４は、本発明に係る切目閉塞手段（第２実施例）の斜視図、図５は側面図である。
本発明に係る切目閉塞手段は、上述した第１実施例と同様にシート材裁断装置のカッター機構に備えられている。
上記カッター機構は、図６に示すように、カッターヘッドの下部に突出するカッター６をカッターヘッド内の駆動機構によって高速で上下動させると共に、カッターヘッドの下部に、裁断物支持面へ載置したシート材Ａ及びシート材Ａの上に覆い被せた気密用ビニルシートＢを上から押圧し、気密用ビニルシートＢの上面を部分的な非通気面にするシート材押え１０を設けて形成されている。
ここで、シート材押え１０は、直径が１００ｍｍ程度の平坦な碗形に形成され、裁断物支持面へ載置したシート材Ａ及びシート材Ａの上に覆い被せた気密用ビニルシートＢを押圧した状態でカッターヘッド６と一体に移動すると共に、その中央部分をカッター６が上下に移動可能となるよう貫通している（図１に記載のカッター刃用孔１１参照）。
【００１６】
第２実施例に示す切目閉塞手段は、図４及び図５に示すように、シート材押え１０のカッター刃用孔１１の近傍であってカッター刃６の平面的な移動方向とは反対側に接着ローラ用孔１２が形成されており、この接着ローラ用孔１２から気密用ビニルシートＢの上面に臨ませるように接着ローラ３０が配置される。ここで、気密用ビニルシートＢのカッター刃６の切目Ｂ１を接着する手段として接着テープロール３２を採用し、外部から供給する接着テープ３３を接着ローラ３０に導くための回転ローラ３１を配置することにより、上述した第１実施例と同様にカッター刃６が平面的に移動する際に接着ローラ３０を介して気密用ビニルシートＢのカッター刃６の切目Ｂ１に接着テープ３３を接着させて切目Ｂ１の隙間を裁断中に順次ふさぐことが可能となる（図３参照）。これにより、カッター刃６の切目Ｂ１の隙間から吸引ボックス内への外気の流入を遮断し、吸引ボックスの吸引力の低下を防止することができるため、裁断支持面のシート材Ａの吸引力を向上させることができる。なお、接着テープ３３を配置する箇所は、外部から供給するだけでなく第１実施例と同様にシート材押え１０の近傍に配置することもできる。
【００１７】
上述したように、第１実施例又は第２実施例に示す切目閉塞手段は、気密用ビニルシートのカッター刃の切目に糊又は接着テープを接着することにより、切目の隙間を裁断中に順次ふさぐことを特徴とする。この切目閉塞手段としては、カッター刃の切目の隙間を裁断中に順次ふさぐ手段を適宜採用することができるため、上述した接着以外の手段としては、例えば、カッター刃の後端部を利用して高周波による溶着を行うことが考えられる。
【図面の簡単な説明】
【００１８】
【図１】本発明に係る切目閉塞手段（第１実施例）の斜視図である。
【図２】図１に示す切目閉塞手段（第１実施例）の側面図である。
【図３】図１に示す切目閉塞手段（第１実施例）の平面図である。
【図４】本発明に係る切目閉塞手段（第２実施例）の斜視図である。
【図５】図４に示す切目閉塞手段（第２実施例）の側面図である。
【図６】シート材裁断装置（従来例１）の縦断正面図である。
【図７】図６に示すシート材裁断装置（従来例１）の縦断側面図である。
【符号の説明】
【００１９】
Ａ  シート材
Ｂ  気密用ビニルシート
Ｂ１  切目
１、２  スプロケット
３  エンドレス走行体
４  剛毛体ブロック
５  吸引ボックス
６  カッター刃
７  吸引源
８  シート材出し入れ用ガイド板
９  シール材
１０  シート材押え
１１  カッター刃用孔
１２  接着ローラ用孔
２０  接着ローラ
２１  糊付き剥離紙ロール
２２  剥離紙巻き取りロール
２３  糊
３０  接着ローラ
３１  回転ローラ
３２  接着テープロール
３３  接着テープ
【図１】
2009184061.tif 000003
【図２】
2009184061.tif 000004
【図３】
2009184061.tif 000005
【図４】
2009184061.tif 000006
【図５】
2009184061.tif 000007
【図６】
2009184061.tif 000008
【図７】
2009184061.tif 000009